(57)【要約】ワイヤレス通信デバイスによって実施される、アンライセンス無線周波数帯域にアクセスするための方法。  ワイヤレス通信デバイスは、アンライセンス無線周波数帯域で動作するように構成される。アンライセンス無線周波数帯域は、複数の無線周波数帯域幅パートを含み、ネットワークノードを含むワイヤレス通信ネットワークによって使用される。ワイヤレス通信デバイスは、ネットワークノードから、複数の無線周波数帯域幅パートの間でワイヤレス通信デバイスが優先順位付けを行えるようにするインジケーションを受信する。ワイヤレス通信デバイスは、前記優先順位付けに従ってアンライセンス無線周波数帯域にアクセスする。【選択図】図２
2021510979.tif 000002
【特許請求の範囲】
【請求項１】
ワイヤレス通信デバイス（１４０）によって実施される、アンライセンス無線周波数帯域（１５０）内の予め定められたシステム帯域幅（１６０）にアクセスするための方法であって、前記ワイヤレス通信デバイス（１４０）は、ネットワークノード（１１１、１１５）を含むワイヤレス通信ネットワーク（１０１）によって、前記ワイヤレス通信ネットワーク（１０１）が構成する複数の帯域幅パート（ＢＷＰ１からＢＷＰ６）を含む前記予め定められたシステム帯域幅内で動作するように構成されており、
前記ネットワークノード（１１１、１１５）から、前記複数の帯域幅パート（ＢＷＰ１からＢＷＰ６）の間で前記ワイヤレス通信デバイス（１４０）が優先順位付けを行えるようにするインジケーションを受信することと（２０１ａ、３０１）、
前記優先順位付けに従って、前記システム帯域幅（１６０）にアクセスすることと（２０４、３０４）を含む、方法。
【請求項２】
前記複数の帯域幅パート（ＢＷＰ１からＢＷＰ６）の間で前記ワイヤレス通信デバイス（１４０）が前記優先順位付けを行えるようにする前記インジケーションを受信すること（２０１ａ、３０１）に応じて、
前記複数の帯域幅パート（ＢＷＰ１からＢＷＰ６）の間で優先順位付けをすることと（２０３、３０３）をさらに含む、請求項１に記載の方法。
【請求項３】
前記アンライセンス無線周波数帯域（１５０）にアクセスすること（２０４、３０４）は、前記システム帯域幅よりも狭い帯域幅内で、前記アンライセンス周波数にアクセスすることを含む、請求項１または２に記載の方法。
【請求項４】
前記アンライセンス無線周波数帯域（１５０）にアクセスすること（２０４、３０４）は、１つまたは複数の帯域幅パート（ＢＷＰ１からＢＷＰ６）内で、前記アンライセンス周波数にアクセスすることを含む、請求項１または２に記載の方法。
【請求項５】
前記アンライセンス無線周波数帯域（１５０）にアクセスすること（２０４、３０４）は、単一の帯域幅パート（ＢＷＰ１からＢＷＰ６）内で、前記アンライセンス周波数にアクセスすることを含む、請求項１または２に記載の方法。
【請求項６】
前記アンライセンス無線周波数帯域（１５０）にアクセスすること（２０４、３０４）は、前記複数の帯域幅パート（ＢＷＰ１からＢＷＰ６）のうち少なくとも１つで、チャネルセンシングを実施すること、および／またはデータ伝送やデータ受信をすることを含む、請求項１または２に記載の方法。
【請求項７】
前記複数の帯域幅パート（ＢＷＰ１からＢＷＰ６）の間で優先順位付けをすること（２０２、３０２）は、
−前記複数の帯域幅パート（ＢＷＰ１からＢＷＰ６）の間の、チャネルセンシング、および／または伝送性能や受信性能の結果、
−前記複数の帯域幅パート（ＢＷＰ１からＢＷＰ６）の間のチャネル占有率の測定値、および
−前記複数の帯域幅パート（ＢＷＰ１からＢＷＰ６）の間のホッピングシーケンス、のうち任意の１つまたは複数に基づく、請求項２〜６に記載の方法。
【請求項８】
前記複数の帯域幅パート（ＢＷＰ１からＢＷＰ６）の間で優先順位付けをすること（２０２、３０２）は、前記チャネルセンシングおよび／または伝送性能および／または受信性能の結果が合格率閾値の、または合格率閾値を超える合格率を有する周波数帯域を優先させることを含む、請求項２〜７のいずれか１項に記載の方法。
【請求項９】
前記複数の帯域幅パート（ＢＷＰ１からＢＷＰ６）の間で優先順位付けをすること（２０２、３０２）は、前記チャネル占有率がチャネル占有率閾値を下回る周波数帯域を優先させることを含む、請求項２〜８のいずれか１項に記載の方法。
【請求項１０】
前記複数の帯域幅パート（ＢＷＰ１からＢＷＰ６）の間で優先順位付けをすること（２０２、３０２）は、第２帯域幅パートよりも第１帯域幅パートを優先させることを含み、前記第１帯域幅パートのチャネル占有率の第１測定値は、前記第２帯域幅パートのチャネル占有率の第２測定値よりも低い、請求項２〜９のいずれか１項に記載の方法。
【請求項１１】
前記複数の帯域幅パート（ＢＷＰ１からＢＷＰ６）の間で優先順位付けをすること（２０２、３０２）は、前記第２帯域幅パートよりも前記第１帯域幅パートを優先させることを含み、前記第１帯域幅パートのチャネルセンシングおよび／または伝送性能や受信性能の第１合格率は、前記第２帯域幅パートのチャネルセンシングおよび／または伝送性能や受信性能の第２合格率よりも高い、請求項２〜１０のいずれか１項に記載の方法。
【請求項１２】
前記ワイヤレス通信デバイス（１４０）が前記優先順位付けを行えるようにする前記受信されたインジケーションは、２回以上の逐次的アクセスに対して有効である、請求項１〜１１のいずれか１項に記載の方法。
【請求項１３】
前記ワイヤレス通信デバイス（１４０）から伝送するデータの量が、予め定められたデータの閾値量を下回るか否かを判定すること（２０２、３０２）と、前記ワイヤレス通信デバイス（１４０）が前記優先順位付けを行えるようにする前記インジケーションを受信すること（２０１ａ、３０１）に応じて、また前記ワイヤレス通信デバイス（１４０）から伝送する前記データの量が、予め定められたデータの閾値量を下回ると判定すること（２０２．３０２）に応じて、
前記複数の帯域幅パート（ＢＷＰ１からＢＷＰ６）の間で優先順位付けをすることと（２０３、３０３）、をさらに含む、請求項１〜１２のいずれか１項に記載の方法。
【請求項１４】
ワイヤレス通信ネットワーク（１０１）によって使用されるアンライセンス無線周波数帯域（１５０）で動作するように構成されたワイヤレス通信デバイス（１４０）であって、
前記ワイヤレス通信ネットワーク（１０１）に含まれるネットワークノード（１１１、１１５）から、前記アンライセンス無線周波数帯域（１５０）に含まれている複数の帯域幅パート（ＢＷＰ１からＢＷＰ６）の間で前記ワイヤレス通信デバイス（１４０）が優先順位付けを行えるようにするインジケーションを受信し、
前記優先順位付けに従って、前記アンライセンス無線周波数帯域（１５０）にアクセスする、ように構成されることで、
前記アンライセンス無線周波数帯域（１５０）にアクセスするようにさらに構成される、ワイヤレス通信デバイス。
【請求項１５】
前記ワイヤレス通信デバイス（１４０）は、
前記複数の帯域幅パート（ＢＷＰ１からＢＷＰ６）の間で前記ワイヤレス通信デバイス（１４０）が前記優先順位付けを行えるようにする前記インジケーションを受信することに応じて、前記複数の帯域幅パート（ＢＷＰ１からＢＷＰ６）の間で優先順位付けをする、ようにさらに構成される、請求項１４に記載のワイヤレス通信デバイス（１４０）。
【請求項１６】
前記ワイヤレス通信デバイス（１４０）は、前記複数の帯域幅パート（ＢＷＰ１からＢＷＰ６）のうち少なくとも１つで、チャネルセンシングを実施すること、および／またはデータ伝送やデータ受信することによって、前記アンライセンス無線周波数帯域（１５０）にアクセスするようにさらに構成される、請求項１４または１５に記載のワイヤレス通信デバイス（１４０）。
【請求項１７】
前記ワイヤレス通信デバイス（１４０）は、
−前記複数の帯域幅パート（ＢＷＰ１からＢＷＰ６）の間の、チャネルセンシング、および／または伝送性能や受信性能の結果、
−前記複数の帯域幅パート（ＢＷＰ１からＢＷＰ６）の間のチャネル占有率の測定値、および
−前記複数の帯域幅パート（ＢＷＰ１からＢＷＰ６）の間のホッピングシーケンス、のうち任意の１つまたは複数に基づいて、前記複数の帯域幅パート（ＢＷＰ１からＢＷＰ６）の間で優先順位付けをするように構成される、請求項１５または１６に記載のワイヤレス通信デバイス（１４０）。
【請求項１８】
ワイヤレス通信ネットワーク（１０１）によって使用されるアンライセンス無線周波数帯域（１５０）で動作するように構成されたネットワークノード（１１１、１１５）によって実施される、前記アンライセンス無線周波数帯域（１５０）へのアクセスを制御するための方法であって、
前記ワイヤレス通信ネットワーク（１０１）で動作するように構成されたワイヤレス通信デバイス（１４０）に、前記アンライセンス無線周波数帯域（１５０）に含まれている複数の帯域幅パート（ＢＷＰ１からＢＷＰ６）の間で前記ワイヤレス通信デバイス（１４０）が優先順位付けを行えるようにするインジケーションを伝送すること（２０１ａ、６０１）を含む、方法。
【請求項１９】
前記アンライセンス無線周波数帯域（１５０）へのアクセスを制御することは、前記ワイヤレス通信デバイス（１４０）に、第２インジケーションを伝送すること（２０１ｂ、６０２）をさらに含み、前記第２インジケーションは、前記複数の帯域幅パート（ＢＷＰ１からＢＷＰ６）の間の前記優先順位付けが、
−前記複数の帯域幅パート（ＢＷＰ１からＢＷＰ６）の間の、チャネルセンシング、および／または伝送性能や受信性能の結果、
−前記複数の帯域幅パート（ＢＷＰ１からＢＷＰ６）の間のチャネル占有率の測定値、および
−前記複数の帯域幅パート（ＢＷＰ１からＢＷＰ６）の間のホッピングシーケンス、のうち任意の１つまたは複数に基づくものであることを示す、請求項１８に記載の方法。
【請求項２０】
ワイヤレス通信ネットワーク（１０１）によって使用されるアンライセンス無線周波数帯域（１５０）で動作するように構成されたネットワークノード（１１１、１１５）であって、
前記ワイヤレス通信ネットワーク（１０１）で動作するように構成されたワイヤレス通信デバイス（１４０）に、前記アンライセンス無線周波数帯域（１５０）に含まれている複数の帯域幅パート（ＢＷＰ１からＢＷＰ６）の間で前記ワイヤレス通信デバイス（１４０）が優先順位付けを行えるようにするインジケーションを伝送する、ように構成されることで、前記アンライセンス無線周波数帯域（１５０）へのアクセスを制御するようにさらに構成される、ネットワークノード（１１１、１１５）。
【請求項２１】
前記ネットワークノード（１１１、１１５）は、第２インジケーションを前記ワイヤレス通信デバイス（１４０）に伝送するように構成されることによって、前記アンライセンス無線周波数帯域（１５０）の使用量を制御するようにさらに構成され、前記第２インジケーションは、前記複数の帯域幅パート（ＢＷＰ１からＢＷＰ６）の間の前記優先順位付けが、
−前記複数の帯域幅パート（ＢＷＰ１からＢＷＰ６）の間の、チャネルセンシング、および／または伝送性能や受信性能の結果、
−前記複数の帯域幅パート（ＢＷＰ１からＢＷＰ６）の間のチャネル占有率の測定値、および
−前記複数の帯域幅パート（ＢＷＰ１からＢＷＰ６）の間のホッピングシーケンス、のうち任意の１つまたは複数に基づくものであることを示す、請求項２０に記載のネットワークノード（１１１、１１５）。
【請求項２２】
命令を含むコンピュータプログラム（７９２、８９２）であって、前記命令は、少なくとも１つのプロセッサ（７８０、８８０）で実行されると、前記少なくとも１つのプロセッサ（７８０、８８０）に、請求項１〜１９のうちいずれか１項に記載の方法を実行させる、コンピュータプログラム（７９２、８９２）。
【請求項２３】
請求項１から２２に記載の前記コンピュータプログラム（７９２、８９２）を含んでいるキャリア（７９１、８９１）であって、電気信号、光信号、無線信号またはコンピュータ可読記憶媒体のうちの１つである、キャリア（７９１、８９１）。
【発明の詳細な説明】
【技術分野】
【０００１】
本明細書の実施形態は、ネットワークノード、ワイヤレス通信デバイス、およびそれらにおける方法に関する。特に、ワイヤレス通信ネットワークでのアンライセンス無線周波数帯域へのアクセスに関する。
【背景技術】
【０００２】
端末などのワイヤレス通信デバイスは、例えば、ユーザ端末（User  Equipment：ＵＥ）、モバイル端末、ワイヤレス端末、および／または移動局としても知られている。これらの用語は、以下、同じ意味で用いられる。ワイヤレス通信デバイスは、無線通信ネットワークまたはセルラ通信ネットワークなどのワイヤレス通信ネットワークにおいて、ワイヤレスに通信することが可能である。ワイヤレス通信ネットワークは、ワイヤレス通信システムとも呼ばれることがあり、場合により、セルラ無線システム、またはセルラシステムとも呼ばれることもある。通信は、セルラ通信ネットワーク内部に構成されている無線アクセスネットワーク（Radio  Access  Network：ＲＡＮ）および場合によっては１つまたは複数のコアネットワークを介して、例えば２つのワイヤレス通信デバイス間、ワイヤレス通信デバイスと通常の電話との間、および／またはワイヤレス通信デバイスとサーバとの間で行われることがある。
【０００３】
ワイヤレス通信ネットワークでの無線信号は、無線伝送機から無線受信機に送られ、通常、これらの伝送機および受信機は、空間的に数メートルから数キロメートル離間している。無線通信では、空間中の間隔のこの信号転送は、通常、信号が無線チャネルまたは単にチャネルを介して伝播すると表現される。
【０００４】
ワイヤレス通信ネットワークの例としては、ロングタームエボリューション（Long  Term  Evolution：ＬＴＥ）、ユニバーサルモバイル電気通信システム（Universal  Mobile  Telecommunications  System：ＵＭＴＳ）、およびモバイル通信用グローバルシステム（Global  System  for  Mobile  communications：ＧＳＭ）（登録商標）が挙げられる。
【０００５】
ワイヤレス通信デバイスはまた、さらにいくつかの例を挙げると、モバイル電話、セルラ電話、ラップトップ、またはワイヤレス能力を備えるサーフタブレットとも呼ばれる場合がある。本背景におけるワイヤレス通信デバイスとしては、例えば、携帯型でポケット収納型のハンドヘルドコンピュータを備えた、または車両搭載型のモバイルデバイスが挙げられ、これらは、ＲＡＮを介して別のワイヤレス通信デバイスまたはサーバなどの別のエンティティと、音声および／またはデータを通信できるようにされたものである。
【０００６】
第３世代パートナーシッププロジェクト（Third  Generation  Partnership  Project：３ＧＰＰ）として知られる機関では、電気通信サプライヤーは、ネットワークの規格に応じて提案および合意し、かつ拡張データレートおよび無線容量について研究している。
【０００７】
例えば、３ＧＰＰシステムにおける無線伝送は、キャリア周波数とも呼ばれる中心周波数を有し、前記中心周波数を中心として無線伝送帯域幅が定められる。無線システムにおける変調信号の無線伝送は、キャリアと呼ばれる場合がある。１つのキャリアで利用される帯域幅よりも、より集約された帯域幅を使用するために、複数の個別の無線リンクが同じシステム内で用いられる（伝送および／または受信される）、キャリア・アグリゲーションと呼ばれるコンセプトが用いられる場合がある。
【０００８】
５Ｇ新無線（New  Radio：ＮＲ）とも呼ばれる３ＧＰＰ第５世代（Fifth  Generation：５Ｇ）ＲＡＮでは、セルラ通信システムは、前記ライセンス無線周波数帯だけではなく、アンライセンス無線周波数帯も用いることが可能になる。ライセンス周波数帯は、特定用途のために予め指定される場合がある周波数を含む。一例としては、これらは、政府によってセルラ企業に認可されるものである。ライセンスフリーまたはライセンス免除周波数帯とも呼ばれるアンライセンス周波数帯は、公的に所有されてよく、かつ前記周波数帯を使用するためにライセンスを得る必要がないものである。
【０００９】
５ＧＮＲでアンライセンスバンドとして用いるために提起された無線周波数帯域のいくつかは、幅が非常に広い。一例としては、７ＧＨｚ幅オーダーの６０ＧＨｚアンライセンスバンド（５７から６４ＧＨｚ）が挙げられる。ワイヤレス通信を使用する通信の場合、無線周波数帯内の一定の帯域幅が、無線信号によって利用される。したがって、無線帯域幅は、無線周波数帯のいくつかである。
【００１０】
ＮＲシステムは、前記物理層特性において適応性があり、例えば、直交周波数分割多重（Orthogonal  Frequency-Division  Multiplexing：ＯＦＤＭ）ニューメロロジーが、異なるシステム帯域幅に合うようにオペレータによって調整される場合がある。例えば、システム帯域幅を満たすのに必要なＯＦＤＭキャリアの総量が制約されるので、大きなシステム帯域幅が使用されるときには、より大きなサブキャリア間隔を使用することが有益である場合がある。しかし、前記他の狭帯域展開では、オペレータは、サブキャリアを一定の最小量でシステム向けに使用するために、ＮＲ技術のなかで小さなサブキャリア間隔を選択することが有益である場合がある。そのため、総システム帯域幅およびＵＥ固有帯域幅が、比較的柔軟に調整される場合がある。しかし、依然として、例えば、システムが、１ＧＨｚのオーダーの帯域幅を限度とされた大きなサブキャリア間隔を有する場合であっても、最大ＵＥ帯域幅はそれよりも小さい場合があるといった、無線フロントエンド実装の観点から考えられる複雑性など、一定の制約が残る。
【００１１】
１ＧＨｚのような、アンライセンスバンドのこのような広システム帯域幅が、アンライセンスバンドで通常必要とされるリッスンビフォアトーク（Listen  Before  Talk：ＬＢＴ）などのチャネルセンシング方法と共に、ＮＲワイヤレス通信システムで単一の無線リンクに使用される場合、ワイヤレス通信デバイスが伝送することを可能にするか否かを制御する従来技術のリッスンビフォアトークアルゴリズムを使用することに関して問題がある。例えば、ワイヤレス通信デバイスの伝送が可能にされるか否かを制御するシステム周波数固有のリッスンビフォアトークアルゴリズムを使用することは、何かを伝送する前に、同時に数百ＭＨｚが空いていることを、伝送するワイヤレス通信デバイスが確実にしなければならないことを意味する。また、全システム帯域幅のセンシングでは、ＬＢＴが合格したとしても、システム帯域幅内のどこに潜在的に干渉するエネルギーがあるかに関して、あまり良好な情報が得られない。したがって、ワイヤレス通信内で、さらにアンライセンス無線周波数帯の使用を向上させる必要性がある。
【発明の概要】
【発明が解決しようとする課題】
【００１２】
本明細書の実施形態の目的は、アンライセンス無線周波数帯の使用を向上させることにより、ワイヤレス通信ネットワークの性能を向上させることである。
【課題を解決するための手段】
【００１３】
本明細書の実施形態の第１態様に従って、アンライセンス無線周波数帯域にアクセスするために、ワイヤレス通信デバイスによって実施される方法が提供される。
【００１４】
ワイヤレス通信デバイスは、アンライセンス無線周波数帯域で動作するように構成される。アンライセンス無線周波数帯域は、複数の無線周波数帯域幅パートを含み、ネットワークノードを含むワイヤレス通信ネットワークによって使用される。
【００１５】
ワイヤレス通信デバイスは、ネットワークノードから、複数の無線周波数帯域幅パートの間でワイヤレス通信デバイスが優先順位付けを行えるようにするインジケーションを受信する。
【００１６】
ワイヤレス通信デバイスは、前記優先順位付けに従ってアンライセンス無線周波数帯域にアクセスする。
【００１７】
本明細書の実施形態の第２態様に従って、アンライセンス無線周波数帯域へのアクセスを制御するために、ネットワークノードによって実施される方法が提供される。アンライセンス無線周波数帯域は、複数の帯域幅パートを含み、ネットワークノードを含むワイヤレス通信ネットワークによって使用される。
【００１８】
ネットワークノードは、ワイヤレス通信ネットワークで動作するように構成されたワイヤレス通信デバイスに、アンライセンス無線周波数帯域内に含まれている複数の帯域幅パートの間でワイヤレス通信デバイスが優先順位付けを行えるようにするインジケーションを伝送する。
【００１９】
本明細書の実施形態の第３態様に従って、ワイヤレス通信ネットワークによって使用されるアンライセンス無線周波数帯域で動作するように構成されたワイヤレス通信デバイスが提供される。また、前記ワイヤレス通信デバイスは、ワイヤレス通信ネットワーク内に含まれているネットワークノードから、アンライセンス無線周波数帯域内に含まれている複数の帯域幅パートの間でワイヤレス通信デバイスが優先順位付けを行えるようにするインジケーションを受信して、前記優先順位付けに従って、アンライセンス無線周波数帯域にアクセスするように構成されることで、アンライセンス無線周波数帯域にアクセスするように構成される。
【００２０】
本明細書の実施形態の第４態様に従って、ワイヤレス通信ネットワークによって使用されるアンライセンス無線周波数帯域で動作するように構成されたネットワークノードが提供される。
【００２１】
ネットワークノードは、ワイヤレス通信ネットワークで動作するように構成されたワイヤレス通信デバイスに、アンライセンス無線周波数帯域内に含まれている複数の帯域幅パートの間でワイヤレス通信デバイスが優先順位付けを行えるようにするインジケーションを伝送するように構成されることで、アンライセンス無線周波数帯域へのアクセスを制御するように構成される。
【００２２】
本明細書の実施形態のさらなる態様に従って、コンピュータプログラムが提供され、前記コンピュータプログラムは、少なくとも１つのプロセッサで実行されると、前記少なくとも１つのプロセッサに上述の第１または第３態様に従った方法を実行させる命令を含む。
【００２３】
本明細書の実施形態のさらなる態様に従って、先の態様のコンピュータプログラムを含むキャリアが提供され、前記キャリアは、電子信号、光信号、無線信号またはコンピュータ可読記憶媒体のうち１つである。
【００２４】
ワイヤレス通信デバイスは、ネットワークノードから、複数の帯域幅パートの間でワイヤレス通信デバイスが優先順位付けを行えるようにするインジケーションを受信するので、ワイヤレス通信デバイスは、ネットワークから優先順位付けを受信することなしに、それ自体固有の優先順位付けに従って、アンライセンス無線周波数帯域にアクセスすることができる。したがって、ワイヤレス通信デバイスは、ワイヤレス通信ネットワークでのオーバーヘッドシグナリングを低減しながら、アンライセンス無線周波数帯域へアクセスすること、例えば、リッスンビフォアトーク合格率を基準にして、複数の帯域幅パートのうち１つを選択することを最適化できる。
【００２５】
本明細書の実施形態の利点は、ワイヤレス通信ネットワークが優先順位付けされた帯域幅パートについての情報を提供するのと比べて、複数の帯域幅パートの間でワイヤレス通信デバイスが優先順位付けを行えるようにするインジケーションを提供するのに必要な無線アクセスリソースを少なくできるため、無線アクセスリソースを節約できることである。例えば、ワイヤレス通信ネットワークからの制御メッセージの周波数および実質容量を低減することができる。
【図面の簡単な説明】
【００２６】
本明細書の実施形態の例は、添付の図面を参照して、より詳細に記載される。
【００２７】
【図１Ａ】図１Ａは、ワイヤレス通信ネットワークを例示する概略ブロック図である。
【図１Ｂ】図１Ｂは、無線周波数帯を例示する概略ブロック図である。
【図２】図２は、アンライセンス無線周波数帯域へのアクセスを制御する方法の実施形態を例示するフロー図とシグナリング線図を組み合わせた図である。
【図３】図３は、ワイヤレス通信デバイスによって実施される方法の実施形態を例示するフロー図である。
【図４】図４は、本明細書の実施形態を例示する概略ブロック図である。
【図５Ａ】図５Ａは、無線周波数帯域の分割および本明細書の実施形態を例示する概略ブロック図である。
【図５Ｂ】図５Ｂは、本明細書のさらなる実施形態を例示する概略ブロック図である。
【図５Ｃ】図５Ｃは、本明細書のさらなる実施形態を例示する概略ブロック図である。
【図６】図６は、ネットワークノードによって実施される方法の実施形態を例示するフロー図である。
【図７】図７は、ワイヤレス通信デバイスの実施形態を例示する概略ブロック図である。
【図８】図８は、ネットワークノードの実施形態を例示する概略ブロック図である。
【発明を実施するための形態】
【００２８】
前述のように、アンライセンス無線周波数帯域の広帯域幅が、アンライセンスバンドで通常必要とされるＬＢＴなどのチャネルセンシング方法と共に、ワイヤレス通信システムで単一の無線リンクに使用される場合、ワイヤレス通信デバイスの伝送が可能にされるか否かを制御する従来技術のＬＢＴアルゴリズムの使用に関して問題がある。
【００２９】
本明細書の実施形態では、アンライセンス無線周波数帯域、すなわちアンライセンスシステム帯域幅内に含まれている複数の無線周波数帯域の間でワイヤレス通信デバイスが優先順位付けをできるようにすることで、上述の問題の解決する方法を説明する。本出願の文脈では、「できる（ｅｎａｂｌｉｎｇ）」は、「可能にする（ａｌｌｏｗｉｎｇ）」を含むか、意味する。
【００３０】
ネットワーク、例えば、ｇＮＢは、アンライセンスシステム帯域幅内で、複数の無線周波数帯域を画定する。言い換えると、ネットワークは、ｇＮＢ、すなわち１つまたは複数のＵＥと共に制御シグナリングを介するｇＮＢを有し、ネットワークによってワイヤレス通信のために使用される好適なシステム帯域幅を決定する。したがって、前記システム帯域幅は、通常、規定により画定された利用可能なサブセット、すなわち通信向けに使用できるアンライセンス周波数帯域である。システム帯域幅、例えば、アンライセンス周波数帯域のサブセットの選択は、使用される中心周波数およびシステム帯域幅を選択することによって行われている。実際には、一例として、数百ＭＨｚ幅である場合があり、かつアンライセンス無線通信で利用可能な周波数帯域を画定する規定によって決定される利用可能なアンライセンス周波数帯域をシステムが有していることを意味する場合があり、また、システムは、例えば、半静的な方式で、前記システム帯域幅の間で使用される好適な周波数帯域を決定し、前記周波数帯域は、例えば、１００ＭＨｚ幅である場合がある。５ＧＮＲでアンライセンスバンドとして用いるために提起された無線周波数帯域のいくつかは、幅が非常に広い。一例としては、７ＧＨｚ幅オーダーの６０ＧＨｚアンライセンスバンド（５７から６４ＧＨｚ）が挙げられる。システム帯域幅は、無線信号伝送で伝送を行い、かつ、それにより同時に使用される能力を有するワイヤレスシステム内の少なくとも１つのノードでの周波数範囲である。
【００３１】
次に、ワイヤレスネットワークによって利用されるこの決定されたシステム帯域幅内で、ネットワークは、画定された２つ以上の帯域幅パート（BandWidth  Part：ＢＷＰ）を有し、ここで、各ＢＷＰは、ネットワーク利用帯域幅内のサブセット帯域幅である。したがって、ＢＷＰは、システム帯域幅のサイズより小さいか、または等しい周波数範囲であり、絶対周波数を基準にして、ＢＷＰの全範囲は、既に画定されたシステム帯域幅内にある。一例として、ＢＷＰ周波数範囲は、例えば、２０ＭＨｚ幅である場合がある。システムは、前記システム帯域幅内で、好適なサイズおよび周波数位置を決定することができる。システム帯域幅が、ネットワークによって、通信向けに使用されている間に、例えば、ネットワークとＵＥ１４０との通信を意味する各無線リンク内で、システム帯域幅の全ての領域を使用することは必要ではない。例えば、システム帯域幅内の、ＢＷＰ、システム帯域幅のより小さな部分を使用することができる。しかし、ネットワークがＵＥ１４０と通信する場合、システム帯域幅の少なくともいくつかのパートを使用することになる。
【００３２】
広帯域幅アンライセンスキャリアで伝送することがサポートされているＵＥなどの、ワイヤレス通信デバイスは、同時に、優先順位を付けられた順序で、帯域幅パート（ＢＷＰ）などのシステム帯域幅内の１つの無線周波数パートにアクセスすることを試みることがある。このように、ワイヤレス通信デバイスは、システムＢＷにアクセスするために使用されるＢＷＰの優先順位を付けられた順序のインジケーションを記憶するように構成されてよい。例えば、伝送するデータの量が小さい場合に、これを使用して、システム帯域幅のより小さなパートを用いて無線チャネルにアクセスすることができる。言い換えると、チャネルにアクセスするために、ＢＷＰを選択することは、予め定められたシステム帯域幅の予め定められたパート間で選択することを包含している。
【００３３】
本明細書の実施形態は、１つまたは複数のワイヤレス通信ネットワークに実装されてよく、図１Ａは、このようなワイヤレス通信ネットワーク１０１の諸要素を示す。ワイヤレス通信ネットワーク１０１は、例えば、５Ｇ、ＬＴＥ、ＵＭＴＳ、ＧＳＭ、任意の３ＧＰＰワイヤレス通信ネットワーク、もしくは任意のセルラワイヤレス通信ネットワークまたはシステムであってよい。ＮＲは、以下、実施形態を例示するために無線アクセス技術として用いられるが、解決策はこれらに限定されない。
【００３４】
ワイヤレス通信ネットワーク１０１は、複数の基地局および／またはその他のネットワークノードを含む。より具体的には、ワイヤレス通信ネットワーク１０１は、ネットワークノード１１１、１１５を含む。
【００３５】
用語「ネットワークノード」は、任意のタイプの無線ネットワークノード、または少なくとも無線ネットワークノードと通信する任意のネットワークノードに相当するものであってよい。例えば、ネットワークノード１１１、１１５は、ｇＮＢ、またはｅＮＢなどの基地局１１１であってよい。基地局はまた、ＮｏｄｅＢ、発展型ＮｏｄｅＢ（ｅＮＢ、ｅＮｏｄｅＢ）、送受信機基地局（Base  Transceiver  Station：ＢＴＳ）、アクセス・ポイント（Access  Point：ＡＰ）基地局、Ｗｉ−ＦｉＡＰ、基地局ルーター、または、例えば、用いられる無線アクセス技術および用語によって決まる基地局によってサービングされるセル内のワイヤレス通信デバイスと通信可能な任意の他のネットワークユニットを指す場合もある。
【００３６】
ネットワークノード１１１、１１５は、ＵＭＴＳシステムのＲＮＣであってもよい。
【００３７】
いくつかの実施形態では、ネットワークノード１１１、１１５は、コアネットワークノード１１５である。
【００３８】
ネットワークノード１１１、１１５は、ＵＥとも呼ばれるワイヤレス通信デバイス１４０と通信することができる。コアネットワークノード１１５は、基地局１１１を介して、例えば、コアネットワークノード１１５と基地局１１１との間のインターフェース１５０を使用して、ワイヤレス通信デバイス１４０と通信できる。
【００３９】
ワイヤレス通信デバイス１４０は、さらに、例えば、モバイル端末またはワイヤレス端末、携帯電話、ラップトップなどのコンピュータ、携帯情報端末（Personal  Digital  Assistants：ＰＤＡ）、または、ワイヤレス能力を備え、場合によってはサーフプレートとも呼ばれるタブレットコンピュータ、ターゲットデバイス、デバイスツーデバイスＵＥ、ＭＴＣ用ＵＥまたはマシンツーマシン通信ができるＵＥ、ｉＰＡＤ、モバイル端末、スマートフォン、ラップトップ組み込み型機器（Laptop  Embedded  Equipment：ＬＥＥ）、ラップトップ搭載型機器（Laptop  Mounted  Equipment：ＬＭＥ）、ＵＳＢドングルなど、もしくは、ワイヤレス通信ネットワーク内で、無線リンクを通じて通信可能な任意の他の無線ネットワークユニットであってもよい。
【００４０】
本開示で用いられる用語「ユーザ端末」は、ユーザによって操作されていない場合であっても、例えば、マシンツーマシン（Machine  To  Machine：Ｍ２Ｍ）デバイスなどのその他のワイヤレスデバイスも対象として含むことを留意されたい。
【００４１】
さらに、ネットワークノード１１１、１１５は、ネットワークノード１１１、１１５の範囲内で、電波または無線周波数で動作する無線インターフェースを通じて、ワイヤレス通信デバイス１４０と通信するように構成される。本明細書の実施形態では、これらの無線周波数は、ワイヤレス通信ネットワーク１０１によって使用されるアンライセンス無線周波数帯域１５０に属し、図１Ｂに示される。このようにして、ワイヤレス通信デバイス１４０およびネットワークノード１１１、１１５は、それぞれ、ワイヤレス通信ネットワーク１０１によって使用されるアンライセンス無線周波数帯域１５０で動作するように構成される。システム帯域幅で、またはその範囲内で動作することは、ネットワーク内の１つまたは複数の他のノードから／１つまたは複数の他のノードへ、無線通信信号を受信および／または伝送することを含む。ここで、無線通信信号は、システム帯域幅によって画定される周波数範囲内で、周波数ごとに放射されるエネルギーである。ネットワーク内のノードは、無線基地局またはモバイルデバイスである場合がある。
【００４２】
本明細書の実施形態では、アンライセンス無線周波数帯域１５０は、帯域幅パートまたはＢＷＰとも呼ばれる複数の無線周波数帯域幅パートＢＷＰ１からＢＷＰ６を含む場合がある。
【００４３】
本明細書のいくつかの実施形態では、アンライセンス無線周波数帯域１５０は、７ＧＨｚ幅オーダーの６０ＧＨｚアンライセンスバンド（５７から６４ＧＨｚ）内に含まれる。アンライセンス無線システムのシステム帯域幅は、数百ＭＨｚ、あるいは１ＧＨｚのオーダーである場合がある。
【００４４】
ワイヤレス通信デバイス１４０は、無線インターフェースを通じて上りリンク（UpLink：ＵＬ）伝送で、ネットワークノード１１１、１１５にデータおよび制御信号を伝送し、ネットワークノード１１１、１１５は、電波または無線インターフェースを通じて下りリンク（DownLink：ＤＬ）伝送で、ワイヤレス通信デバイス１４０にデータおよび制御信号を伝送する。
【００４５】
本明細書で述べられる制御シグナリングは、レイヤ１シグナリング（下りリンク制御情報（Downlink  Control  Information：ＤＣＩ）、ＰＤＣＣＨ−物理下りリンク制御チャネル）、およびレイヤ３無線リソース制御シグナリングを含む、異なるレベルで行うことができる。また、例えば、ブロードキャストまたは専用に伝送することができるシステム情報など他の制御シグナリングも、３ＧＰＰ規格文書にて提示されている。
【００４６】
以下、ワイヤレス通信ネットワーク１０１によって使用されるアンライセンス無線周波数帯域１５０へのアクセスを制御する方法について、いくつかの例示的実施形態により、より詳細に説明する。以下の実施形態は、例として、ＮＲを用いて説明され、かつネットワークノード１１１、１１５はＮＲ基地局、すなわち、ｇＮＢであるが、これらの実施形態は、ＮＲの使用に限定されない。
【００４７】
これらの実施形態は、互いに相容れないものではないという点に留意すべきである。一実施形態の構成要素は、別の実施形態に存在することが暗に想定される場合があり、また、他の例示的実施形態において、それらの構成要素がどのように用いられる場合があるかは当業者にとっては明らかであろう。
【００４８】
実施形態は、まず、ワイヤレス通信デバイス１４０とネットワークノード１１１、１１５との相互作用について、図２に例示されるシグナリング線図とフロー図の組み合わせを参照し、かつ図１Ａも引き続き参照して記述することにより記載される。
【００４９】
本明細書の実施形態が適用される場合がある例示的シナリオでは、ワイヤレス通信デバイス１４０は、アンライセンス無線周波数帯域１５０で、少量のデータを伝送する場合がある。したがって、ワイヤレス通信デバイス１４０が、無線チャネルにアクセスする、すなわち言い換えると、アンライセンス無線周波数帯域１５０のシステム帯域幅のより小さなパートで、アンライセンス無線周波数帯域１５０にアクセスすることが有利である場合がある。
【００５０】
アクション２０１ａ
ワイヤレス通信デバイス１４０は、ネットワークノード１１１、１１５から、複数の無線周波数帯域幅パートＢＷＰ１からＢＷＰ６の間でワイヤレス通信デバイス１４０が優先順位付けを行えるようにするインジケーションを受信する。言い換えると、インジケーションは、複数の無線周波数帯域幅パートＢＷＰ１からＢＷＰ６までの間でワイヤレス通信デバイス１４０が優先順位付けを行うことを可能にする。
【００５１】
インジケーションは、複数の無線周波数帯域幅パートＢＷＰ１からＢＷＰ６までの間で優先順位付けを行うコマンドおよび／またはリクエストであってもよい。インジケーションを受信することは、無線周波数帯域幅パートＢＷＰ１からＢＷＰ６の優先順位を付けられたリストを受信しないことも含んでもよい。
【００５２】
このアクションは、下記のアクション３０１およびアクション６０１に関係している。
【００５３】
アクション２０１ｂ
いくつかの実施形態では、ワイヤレス通信デバイス１４０は、ネットワークノード１１１、１１５から第２インジケーションを受信する。第２インジケーションは、優先順位付けを行う根拠、例えば、どの優先順位付けアルゴリズムを使用するか、または、どの測定、測定値および／またはパラメータに基づいて優先順位付けが行われるかを、ワイヤレス通信デバイス１４０に示す。例えば、第２インジケーションは、複数の無線周波数帯域幅パートＢＷＰ１からＢＷＰ６の間の優先順位付けが、チャネルセンシングの結果に基づくものであることを示してもよい。
【００５４】
第２インジケーションは、ワイヤレス通信デバイス１４０が優先順位付けを行えるようにするインジケーションと同じメッセージで、または別々のメッセージで、伝送されるか、あるいは、言い換えると、シグナリングされてもよい。
【００５５】
第２インジケーションを伝送することにより、ネットワークノード１１１、１１５は、ワイヤレス通信デバイス１４０が優先順位付けを行うグラウンド、例えば、ワイヤレス通信デバイス１４０が使用する優先順位付けアルゴリズムがどれかを制御することができる。このようにして、ネットワークおよびオペレータは、ＵＥの動作を制御することができる。
【００５６】
このアクションは、下記のアクション６０２に関係している。
【００５７】
アクション２０２
いくつかの実施形態では、ワイヤレス通信デバイス１４０は、ワイヤレス通信デバイス１４０から伝送するデータの量が、予め定められたデータの閾値量を下回るという判定に応じて、条件付きで優先順位付けを実施する。例えば、データは、アンライセンス無線周波数帯域１５０の全体を必要としない場合がある。その代わりに、伝送するデータの量が予め定められたデータの閾値量を上回る場合、ワイヤレス通信デバイス１４０は、伝送に対して全てのシステム帯域幅が必要であると見なしてもよい。上記の判定の利点は、ワイヤレス通信デバイス１４０が必要なときだけ優先順位付けを実施することであり、したがって、いくつかの伝送では全ての周波数帯域が必要とされることがあるものの、全ての伝送に対して、ワイヤレス通信デバイス１４０が優先順位付けを実施する場合と比べて、処理リソースを節約することができる。
【００５８】
このアクションは、下記のアクション３０２に関係している。
【００５９】
アクション２０３
ワイヤレス通信デバイス１４０は、アクション２０１ａのインジケーションを受信することに応じて、複数の無線周波数帯域幅パートＢＷＰ１からＢＷＰ６の間で優先順位付けをする。
【００６０】
例えば、ワイヤレス通信デバイス１４０は、複数の無線周波数帯域幅パートＢＷＰ１からＢＷＰ６のどれかを判定するために、例えば、チャネルセンシングおよび／または伝送や受信に関して、どの帯域幅パートが他より合格する可能性があるかを判定するために、ＬＢＴ試行またはパケット伝送の過去の合／否の統計を考慮に入れてもよい。それによって、ワイヤレス通信デバイス１４０は、次に予定されている伝送スロット向けに、このようなより高い無線周波数帯域を優先させることができる。
【００６１】
ワイヤレス通信デバイス１４０による優先順位付けの利点は、ワイヤレス通信ネットワーク１０１による、このような優先順位のシグナリングの必要性が低減されることである。優先順位付け、例えば、優先順位リスト４０１の更新は、例えば、秒のオーダーの間隔で頻繁に必要とされる場合があるので、ワイヤレス通信ネットワーク１０１内でのシグナリングを著しく低減することができる。
【００６２】
ワイヤレス通信ネットワーク１０１、例えば、ネットワークノード１１１、１１５は、下位層または一定の優先順位機能またはアルゴリズムを使用する無線リソース制御ＲＲＣシグナリングによって、ワイヤレス通信デバイス１４０を構成してもよい。別の実施形態では、次に予定されている伝送向けに、無線周波数帯域または無線周波数帯域幅パートの間の優先順位がワイヤレス通信ネットワーク１０１によってシグナリングされない場合、ワイヤレス通信デバイス１４０は一定の優先順位機能を使用する。
【００６３】
このアクションは、下記のアクション３０３に関係している。
【００６４】
アクション２０４
ワイヤレス通信デバイス１４０は、優先順位付けに従って、アンライセンス無線周波数帯域１５０にアクセスする。
アンライセンス無線周波数帯域１５０にアクセスすることは、複数の無線周波数帯域幅パートＢＷＰ１からＢＷＰ６のうち少なくとも１つで、チャネルセンシングを実施すること、および／またはデータ伝送やデータ受信をすることを含んでもよい。
【００６５】
このアクションは、下記のアクション３０４に関係している。
【００６６】
次に、ワイヤレス通信デバイス１４０に関する実施形態について説明する。図３は、アンライセンス無線周波数帯域１５０にアクセスするために、ワイヤレス通信デバイス１４０によって実施されるアクションのフロー図を示す。
【００６７】
アクション３０１
ワイヤレス通信デバイス１４０は、ネットワークノード１１１、１１５から、複数の無線周波数帯域幅パートＢＷＰ１からＢＷＰ６の間でワイヤレス通信デバイス１４０が優先順位付けを行えるようにするインジケーションを受信する。言い換えると、インジケーションは、複数の無線周波数帯域幅パートＢＷＰ１からＢＷＰ６までの間でワイヤレス通信デバイス１４０が優先順位付けを行うことを可能にする。
【００６８】
ワイヤレス通信デバイス１４０が、複数の無線周波数帯域幅パートＢＷＰ１からＢＷＰ６の間でワイヤレス通信デバイス１４０が優先順位付けを行えるようにするインジケーションを受信するので、ワイヤレス通信デバイス１４０は、ワイヤレス通信ネットワーク１０１から優先順位付けを受信することなしに、それ自体固有の優先順位付けに従って、アンライセンス無線周波数帯域１５０にアクセスすることができる。
【００６９】
したがって、ワイヤレス通信デバイス１４０は、アンライセンス無線周波数帯域１５０へアクセスすることを最適化でき、例えば、ワイヤレス通信ネットワーク１０１でのオーバーヘッドシグナリングを低減しながら、例えば、リッスンビフォアトーク合格率を基準にして、複数の無線周波数帯域幅パートＢＷＰ１からＢＷＰ６のうち１つを選択することを最適化できる。
【００７０】
このことの利点は、優先順位付けされた無線周波数帯域幅パートについての情報をワイヤレス通信ネットワーク１０１から提供するのと比べて、ワイヤレス通信デバイス１４０が優先順位付けを行えるようにするインジケーションを提供するために必要な無線アクセスリソースを少なくできるため、無線アクセスリソースが節約されることである。例えば、ワイヤレス通信ネットワーク１０１からの制御メッセージの周波数および実質容量を低減することができる。
【００７１】
いくつかの実施形態では、ワイヤレス通信デバイス１４０が優先順位付けを行えるようにする受信されたインジケーションは、アンライセンス無線周波数帯域１５０への２回以上の逐次的アクセスに対して有効である。そのような方法で、複数の無線周波数帯域１５０の間で優先順位付けをするために必要な無線アクセスリソースを少なくできるので、ワイヤレス通信ネットワーク１０１からの制御メッセージの周波数を低減し、かつ、より多くの無線アクセスリソースを節約することができる。
【００７２】
さらにいくつかの実施形態では、ワイヤレス通信デバイス１４０が優先順位付けを行えるようにする受信されたインジケーションは、予め定められた期間および／または限られた量のデータに対して有効である。
【００７３】
またさらにいくつかの別の実施形態では、ワイヤレス通信デバイス１４０が優先順位付けを行えるようにする受信されたインジケーションは、優先順位を付けられた無線周波数帯域幅パートＢＷＰ１からＢＷＰ６のリストなどのインジケーションがワイヤレス通信ネットワーク１０１から提供されるまで有効である。
【００７４】
上記の実施形態では、ワイヤレス通信デバイス１４０が優先順位付けを行えるようにするインジケーションの有効性の持続時間は、ネットワークノード１１１、１１５によって、したがってワイヤレス通信ネットワーク１０１によって制御することができる。このように、有効性を制御することによって、ワイヤレス通信ネットワーク１０１からの制御メッセージの周波数を低減することができるのと同時に、ワイヤレス通信ネットワーク１０１は、ワイヤレス通信デバイス１４０が優先順位付けを行えるようにするか否かを動的に制御できる。例えば、ワイヤレス通信ネットワーク１０１にとっては、他のトラフィックシナリオ時よりも、所定のトラフィックシナリオ時に、ワイヤレス通信デバイス１４０が優先順位付けを行えるようにすることがより有利である場合がある。
【００７５】
このアクションは、上記のアクション２０１ａおよび下記のアクション６０１に関係している。
【００７６】
アクション３０２
いくつかの実施形態では、ワイヤレス通信デバイス１４０から伝送するデータの量が予め定められたデータの閾値量を下回るか否かを、ワイヤレス通信デバイス１４０が判定する。
【００７７】
これらの実施形態に関しては、ワイヤレス通信デバイス１４０から伝送するデータの量が予め定められたデータの閾値量を下回ると判定することに応じて、また、ワイヤレス通信デバイス１４０が優先順位付けを行えるようにするインジケーションの受信に応じて、ワイヤレス通信デバイス１４０は、複数の無線周波数帯域幅パートＢＷＰ１からＢＷＰ６の間で優先順位付けをする。
【００７８】
上記の判定の利点は、ワイヤレス通信デバイス１４０が、必要とされる場合に優先順位付けを実施することであり、したがって、いくつかの伝送では全ての周波数帯域が必要とされるにもかかわらず、全ての伝送に対してワイヤレス通信デバイス１４０が優先順位付けを実施する場合と比べて、処理リソースを節約することができる。
【００７９】
このアクションは、上記のアクション２０２に関係している。
【００８０】
アクション３０３
ワイヤレス通信デバイス１４０は、複数の無線周波数帯域幅パートＢＷＰ１からＢＷＰ６の間でワイヤレス通信デバイス１４０が優先順位付けを行えるようにするインジケーションを受信することに応じて、複数の無線周波数帯域幅パートＢＷＰ１からＢＷＰ６の間で優先順位付けをする。
【００８１】
複数の無線周波数帯域幅パートＢＷＰ１からＢＷＰ６の間で優先順位付けをすること（２０２、３０２）は、
−複数の無線周波数帯域幅パートＢＷＰ１からＢＷＰ６の間のチャネルセンシングおよび／または伝送性能や受信性能の結果、
−複数の無線周波数帯域幅パートＢＷＰ１からＢＷＰ６の間のチャネル占有率の測定値、および
−複数の無線周波数帯域幅パートＢＷＰ１からＢＷＰ６の間のホッピングシーケンス、のうち任意の１つまたは複数に基づいてもよい。
いくつかの実施形態では、複数の無線周波数帯域幅パートＢＷＰ１からＢＷＰ６の間で優先順位付けをすることは、チャネルセンシング、および／または伝送性能や受信性能の結果が合格率閾値の、または合格率閾値を超える合格率を有する周波数帯域を優先させることを含む。
【００８２】
他のいくつかの実施形態では、複数の無線周波数帯域幅パートＢＷＰ１からＢＷＰ６の間で優先順位付けをすることは、チャネル占有率がチャネル占有率閾値を下回る周波数帯域を優先させることを含む。
【００８３】
複数の無線周波数帯域幅パートＢＷＰ１からＢＷＰ６の間で優先順位付けをすることは、第２無線周波数帯域よりも第１無線周波数帯域を優先させることをさらに含んでもよく、ここで、第１無線周波数帯域のチャネル占有率の第１測定値は、第２無線周波数帯域のチャネル占有率の第２測定値よりも低い。
【００８４】
複数の無線周波数帯域幅パートＢＷＰ１からＢＷＰ６の間で優先順位付けをすることは、第２無線周波数帯域よりも第１無線周波数帯域を優先させることをさらに含んでもよく、ここで、第１無線周波数帯域のチャネルセンシングおよび／または伝送性能や受信性能の第１合格率は、第２無線周波数帯域のチャネルセンシングおよび／または伝送性能や受信性能の第２合格率よりも高い。
【００８５】
以下は、本明細書の実施形態で、優先順位付けをどのように実施することができるかをより詳細に記載する。
【００８６】
例えば、ワイヤレス通信デバイス１４０は、複数の無線周波数帯域幅パートＢＷＰ１からＢＷＰ６のどれかを判定するために、例えば、チャネルセンシングおよび／または伝送や受信に関して、どの帯域幅パートが他より合格する可能性があるかを判定するために、ＬＢＴ試行またはパケット伝送の過去の合／否の統計を考慮に入れてもよい。それによって、ワイヤレス通信デバイス１４０は、次に予定されている伝送スロット向けに、このようなより高い無線周波数帯域を優先させることができる。
【００８７】
上記の例示的アルゴリズムを図４に示す。ここで、優先順位リスト４０１は、ＬＢＴを試行するたびに更新される。図４では、優先順位リスト４０１は、３つの異なる時間、ｔ１、ｔ２、ｔ３に対して示されている。まず、時間ｔ１で、優先順位リストは、第１無線周波数帯域ＢＷＰ１が最も優先順位が高く、第２無線周波数帯域ＢＷＰ２が２番目に優先順位が高く、他も同様に優先順位付けされている。
【００８８】
したがって、ワイヤレス通信デバイス１４０は第１無線周波数帯域ＢＷＰ１をリッスンし、エネルギーが閾値を下回る場合、ワイヤレス通信デバイス１４０は第１無線周波数帯域ＢＷＰ１で伝送する。あるいは、不合格は、検出された無線エネルギーが高すぎてＬＢＴが不合格だったことを意味する。不合格の無線周波数帯域パートＢＷＰ２およびＢＷＰ４での伝送試行は行われない。
【００８９】
この例では、合格した試行は、優先順位リスト４０１で上向きの矢印で示されているように無線周波数帯域を一段階上げられ、不合格の試行は、下向きの矢印で示されているように無線周波数帯域を一段落下げられる。２つの無線周波数帯域幅パートが、同じ優先順位レベルになる場合、最も直近で最も合格したことがある無線周波数帯域を、より高い優先順位にしてもよい。このことは、時間ｔ３の前、すなわち、２番目のＬＢＴ試行および第２伝送の後の２番目の優先順位付け時の矢印で示されている。
【００９０】
その他のいくつかの実施形態では、ワイヤレス通信デバイス１４０は、チャネル占有率測定を使用して、複数の無線周波数帯域幅パートＢＷＰ１からＢＷＰ６のうちどれが、最も使用周波数が低いかを判定することができる。チャネル占有率測定は、通常、無線周波数帯の他のパートよりも使用周波数が高い無線周波数帯のパートについての情報を提供することを目的とする。チャネル占有率測定値は、例えば、検出エネルギーの複数測定を介した無線周波数帯域の平均検出エネルギーであってもよい。検出エネルギーは、周波数帯域にわたる無線強度を統合させることによって、得られるものであってもよい。
【００９１】
本明細書の実施形態では、このようなチャネル占有率測定は、ＢＷＰの優先順位付けに使用されてよい。これにより、ワイヤレス通信ネットワーク１０１が、ワイヤレス通信ネットワーク１０１からのかかる優先順位のシグナリングを用いない、ワイヤレス通信デバイス１４０に固有であるＢＷＰの優先順位付けを実現することを可能にする。ワイヤレス通信ネットワーク１０１は、この優先順位付け機能を使用するように下位層またはＲＲＣシグナリングによってワイヤレス通信デバイス１４０を構成するか、または、次に予定されている伝送に対して、ＢＷＰがワイヤレス通信ネットワーク１０１によってシグナリングされない場合、前記機能を使用することをワイヤレス通信デバイス１４０によって知らされてよい。前記機能をどのように使用することができるかの図が、図５Ａに示されている。図５Ａでは、ＢＷＰ２、ＢＷＰ４、およびＢＷＰ５が、それぞれ、９０％、４０％、および２０％の高いチャネル占有レベルによって占有されていると見なされる。チャネル占有レベルの閾値は、例えば、２０％である。
【００９２】
上述の２つの実施形態は、合格のＬＢＴの確率が、試行ごとに可能な限り高いＢＷＰの使用量を達成することを目的としている。しかし、可能な無線周波数帯の大きなパートにわたって周波数帯の使用量を分割するために、考えるべき一態様は、無線周波数帯の選択されたパートを準静的に占有するか否か、または周波数帯の使用量を分割するか否かであり、それにより、無線周波数帯を介して、他のワイヤレス通信デバイス、および基地局などの、他のワイヤレスノードに生じる干渉である。
【００９３】
干渉をより分散することを実現する一方法は、ＬＢＴ優先順位に対して、ＢＷＰのホッピングシーケンスを画定することであってもよい。
【００９４】
適切なホッピングシーケンスを定める方法の例は、図５Ｂおよび５Ｃに示される。
【００９５】
第１例は、最初のＬＢＴ試行として、切り替えられる最も優先順位の高いＢＷＰのセット、および２番目のＬＢＴ試行に対して、切り替えられる２番目に優先順位が高いセットなどを定めることであってもよい。
【００９６】
図５Ｂの線図は、異なる２つの優先グループ１から２、すなわち、３つの異なる時間ｔ１からｔ３で、ＬＢＴで使用されるＢＷＰのグループ１から２内の優先順序１から３を示す。ボックスの中の番号は、以下の、グループ、優先順位を意味する。時間ｔ１では、第１グループ１は、第２グループ２よりも優先される。グループ１のＬＢＴ優先順序は、１：１、１：２、１：３で、表される。グループ１のＢＷＰのうちいずれかが合格する場合、使用される次のＢＷＰは、グループ２からのものである。グループ２の中の優先順序は、２：１、２：２、２：３である。各伝送の後に、各グループの順序は、ホッピングパターンを形成するように交替される。当然、３つ以上のグループが使用されてもよい。
【００９７】
図５Ｃは、例えば、伝送試行ごとにＢＷＰ周波数ごとの配分を動かすデルタ周波数を与える関数としてホッピングパターンを追加することによって、最初の伝送スロットｔ１での第１ＢＷＰ順序のＢＷＰの第１セットを用いて、次の伝送スロットｔ２でのＢＷＰのセットの画定を修正する別の選択肢を示す。すなわち、ホッピング関数は、伝送ごとに適用される周波数変更を提供することができる。
【００９８】
これらのホッピングの２つのタイプは、組み合わされてもよい。ネットワークは、それを使う必要がある場合、ＲＲＣシグナリングを介して構成してもよい。複数のホッピングスキームが定義される場合、ネットワークは使用する１つを定義してもよい。
【００９９】
ワイヤレス通信デバイス１４０による優先順位付けの利点は、ワイヤレス通信ネットワーク１０１による、このような優先順位のシグナリングの必要性が低減されることである。優先順位付け、例えば、優先順位リスト４０１の更新は、例えば、秒のオーダーの間隔で頻繁に必要とされる場合があるので、ワイヤレス通信ネットワーク１０１内でのシグナリングを著しく低減することができる。
【０１００】
このアクションは、上記のアクション２０３に関係している。
【０１０１】
アクション３０４
ワイヤレス通信デバイス１４０は、優先順位付けに従って、アンライセンス無線周波数帯域１５０にアクセスする。
【０１０２】
アンライセンス無線周波数帯域１５０にアクセスすることは、複数の無線周波数帯域幅パートＢＷＰ１からＢＷＰ６のうち少なくとも１つで、チャネルセンシングを実施すること、および／またはデータ伝送やデータ受信をすることを含んでもよい。
【０１０３】
このアクションは、上記のアクション２０４に関係している。
【０１０４】
次に、ネットワークノード１１１、１１５に関する実施形態について説明する。図６は、アンライセンス無線周波数帯域１５０へのアクセスを制御するために、ネットワークノード１１１、１１５によって実施されるアクションのフロー図を示す。
【０１０５】
アクション６０１
ネットワークノード１１１、１１５は、アンライセンス無線周波数帯域１５０に含まれている複数の無線周波数帯域幅パートＢＷＰ１からＢＷＰ６の間でワイヤレス通信デバイス１４０が優先順位付けを行えるようにするインジケーションを伝送する。複数の無線周波数帯域幅パートＢＷＰ１からＢＷＰ６は、アンライセンス無線周波数帯域１５０にアクセスしてワイヤレス通信ネットワーク１０１内で通信するために使用されるものである。インジケーションは、ワイヤレス通信デバイス１４０に伝送される。インジケーションは、低いレベルのシグナリングまたはＲＲＣシグナリングで伝送されてよい。
【０１０６】
ネットワークノード１１１、１１５が、複数の無線周波数帯域幅パートＢＷＰ１からＢＷＰ６の間でワイヤレス通信デバイス１４０が優先順位付けを行えるようにするインジケーションを伝送するので、ワイヤレス通信デバイス１４０は、ワイヤレス通信ネットワーク１０１から優先順位付けを受信することなしに、それ自体固有の優先順位付けに従って、アンライセンス無線周波数帯域１５０にアクセスすることができる。
【０１０７】
アクション３０１に関して上述したように、このことの利点は、ワイヤレス通信ネットワークが優先順位付けされた無線周波数帯域幅パートについての情報を提供するのと比べて、ワイヤレス通信デバイス１４０が優先順位付けを行えるようにするインジケーションを提供するのに必要な無線アクセスリソースを少なくできるので、無線アクセスリソースが節約されることである。
【０１０８】
このアクションは、アクション２０１ａおよび上記のアクション３０１に関係している。
【０１０９】
アクション６０２
いくつかの実施形態では、ネットワークノード１１１、１１５は、ワイヤレス通信デバイス１４０に、第２インジケーションを伝送することによって、アンライセンス無線周波数帯域１５０へのアクセスをさらに制御し、前記第２インジケーションは、複数の無線周波数帯域幅パートＢＷＰ１からＢＷＰ６の間の優先順位付けが、
−複数の無線周波数帯域幅パートＢＷＰ１からＢＷＰ６の間のチャネルセンシング、および／または伝送性能や受信性能の結果、
−複数の無線周波数帯域幅パートＢＷＰ１からＢＷＰ６の間のチャネル占有率の測定値、および
−複数の無線周波数帯域幅パートＢＷＰ１からＢＷＰ６の間のホッピングシーケンス、のうち任意の１つまたは複数に基づくものであることを示す。
【０１１０】
第２インジケーションは、ワイヤレス通信デバイス１４０が優先順位付けを行えるようにするインジケーションと同じメッセージで、または別々のメッセージで、伝送されてもよく、あるいは、言い換えると、シグナリングされてもよい。
【０１１１】
第２インジケーションを伝送することにより、ネットワークノード１１１、１１５は、ワイヤレス通信デバイス１４０が優先順位付けを行う根拠、例えば、ワイヤレス通信デバイス１４０がどの優先順位付けアルゴリズムを使用するかを制御してもよい。
【０１１２】
このアクションは、上記のアクション２０１ｂに関係している。
【０１１３】
本明細書の実施形態は、ワイヤレス通信デバイス１４０で実施されてもよい。ワイヤレス通信デバイス１４０は、アンライセンス無線周波数帯域１５０にアクセスするために、図７に示されているモジュールを含んでもよい。以下に述べる異なるモジュールが、例えばユニットなどと呼ばれる場合があることを当業者なら理解するであろう。
【０１１４】
ワイヤレス通信デバイス１４０は、ワイヤレス信号向けの伝送部７６０ａおよび受信部７６０ｂを含んでもよい。
【０１１５】
ワイヤレス通信デバイス１４０は、例えば、受信モジュール７１０を用いて、アンライセンス無線周波数帯域１５０に含まれている複数の無線周波数帯域幅パートＢＷＰ１からＢＷＰ６の間で、ワイヤレス通信デバイス１４０が優先順位付けを行えるようにするインジケーションを受信するように構成される。
【０１１６】
受信モジュール７１０は、ワイヤレス通信デバイス１４０のプロセッサ７８０および／または受信部７６０ｂによって実行されてもよい。
【０１１７】
ワイヤレス通信デバイス１４０は、例えば、アクセスモジュール７２０を用いて、優先順位付けに従ってアンライセンス無線周波数帯域１５０にアクセスするようにさらに構成される。
【０１１８】
ワイヤレス通信デバイス１４０は、複数の無線周波数帯域幅パートＢＷＰ１からＢＷＰ６のうち少なくとも１つで、チャネルセンシングを実施すること、および／またはデータ伝送やデータ受信をすることによって、アンライセンス無線周波数帯域１５０にアクセスするように構成されてよい。
【０１１９】
アクセスモジュール７２０は、ワイヤレス通信デバイス１４０のプロセッサ７８０によって実装されてもよい。
【０１２０】
ワイヤレス通信デバイス１４０は、例えば、優先順位付けモジュール７３０を用いて、複数の無線周波数帯域幅パートＢＷＰ１からＢＷＰ６の間でワイヤレス通信デバイス１４０が優先順位付けを行えるようにするインジケーションを受信することに応じて、複数の無線周波数帯域幅パートＢＷＰ１からＢＷＰ６の間で優先順位付けをするようにさらに構成されてもよい。
【０１２１】
いくつかの実施形態では、ワイヤレス通信デバイス１４０は、以下の
−複数の無線周波数帯域幅パートＢＷＰ１からＢＷＰ６の間のチャネルセンシング、および／または伝送性能や受信性能の結果、
−複数の無線周波数帯域幅パートＢＷＰ１からＢＷＰ６の間のチャネル占有率の測定値、および
−複数の無線周波数帯域幅パートＢＷＰ１からＢＷＰ６の間のホッピングシーケンス、のうち任意の１つまたは複数に基づいて、複数の無線周波数帯域幅パートＢＷＰ１からＢＷＰ６の間で優先順位付けをするように構成される。
優先順位付けモジュール７３０は、ワイヤレス通信デバイス１４０のプロセッサ７８０によって実装されてもよい。
【０１２２】
いくつかの実施形態では、ワイヤレス通信デバイス１４０は、例えば、判定モジュール７４０を用いて、ワイヤレス通信デバイス１４０から伝送するデータの量が、予め定められたデータの閾値量を下回るか否かを判定するようにさらに構成される。
【０１２３】
これらの実施形態では、ワイヤレス通信デバイス１４０は、ワイヤレス通信デバイス１４０から伝送するデータの量が、予め定められたデータの閾値量より小さいという判定に応じて、また、ワイヤレス通信デバイス１４０が優先順位付けを行えるようにするインジケーションの受信に応じて、複数の無線周波数帯域幅パートＢＷＰ１からＢＷＰ６の間で優先順位付けをするように構成される。
【０１２４】
判定モジュール７４０は、ワイヤレス通信デバイス１４０のプロセッサ７８０によって実装されてもよい。
【０１２５】
本明細書の実施形態は、ネットワークノード１１１、１１５で実施されてもよい。ネットワークノード１１１、１１５は、アンライセンス無線周波数帯域１５０へのアクセスを制御するために、図８に示すモジュールを含んでもよい。
【０１２６】
ネットワークノード１１１、１１５は、ワイヤレス信号向けの伝送部８６０ａおよび受信部８６０ｂを含んでもよい。
【０１２７】
ネットワークノード１１１、１１５は、アンライセンス無線周波数帯域１５０に含まれている複数の無線周波数帯域幅パートＢＷＰ１からＢＷＰ６の間でワイヤレス通信デバイス１４０が優先順位付けを行えるようにするインジケーションを、例えば、伝送モジュール８１０を用いて伝送するように構成される。インジケーションは、ワイヤレス通信デバイス１４０に伝送される。
【０１２８】
伝送モジュール８１０は、ネットワークノード１１１、１１５のプロセッサ８８０および／または伝送部８６０ａによって実装されてもよい。
【０１２９】
ネットワークノード１１１、１１５は、第２インジケーションをワイヤレス通信デバイス１４０に伝送するように構成されることによって、例えば、伝送モジュール８１０を用いてアンライセンス無線周波数帯域１５０の使用量を制御するようにさらに構成されてもよく、前記第２インジケーションは、複数の無線周波数帯域幅パートＢＷＰ１からＢＷＰ６の間の優先順位付けが、
−複数の無線周波数帯域幅パートＢＷＰ１からＢＷＰ６の間のチャネルセンシング、および／または伝送性能や受信性能の結果、
−複数の無線周波数帯域幅パートＢＷＰ１からＢＷＰ６の間のチャネル占有率の測定値、および
−複数の無線周波数帯域幅パートＢＷＰ１からＢＷＰ６の間のホッピングシーケンス、のうち任意の１つまたは複数に基づくものであることを示す。
【０１３０】
本明細書のいくつかの実施形態は、ネットワークノード１１１、１１５およびワイヤレス通信デバイス１４０を含むシステムとして記載されてもよい。システム内で、ネットワークノード１１１、１１５は、ワイヤレス通信デバイス１４０に、複数の無線周波数帯域幅パートＢＷＰ１からＢＷＰ６の間でワイヤレス通信デバイス１４０が優先順位付けを行えるようにするインジケーションを伝送するように構成される。ワイヤレス通信デバイス１４０は、前述のように、ネットワークノード１１１、１１５から、インジケーションを受信して、前記優先順位付けに従ってアンライセンス無線周波数帯域１５０にアクセスするように構成される。
【０１３１】
本明細書の実施形態は、本明細書の実施形態の機能およびアクションを実施するために、図７に示されているワイヤレス通信デバイス１４０のプロセッサ７８０、および図８に示されているネットワークノード１１１、１１５のプロセッサ８８０などの１つまたは複数のプロセッサを通して、コンピュータプログラムコードと共に実装されてもよい。上述のプログラムコードは、例えば、ネットワークノード１１１、１１５およびワイヤレス通信デバイス１４０に搭載される場合、本明細書の実施形態を実施するために、コンピュータプログラムコード７９２、８９２を搬送するデータキャリアの形態で、コンピュータプログラム製品７９１、８９１として提供されてもよい。そのようなキャリアの１つは、ＣＤＲＯＭディスクの形態であってもよい。しかし、メモリスティックなどのその他のデータキャリアでも実行可能である。コンピュータプログラムコードは、さらに、サーバ上に単なるプログラムコードとして提供されて、ネットワークノード１１１、１１５およびワイヤレス通信デバイス１４０にダウンロードされるものであってもよい。
【０１３２】
したがって、ネットワークノード１１１、１１５およびワイヤレス通信デバイス１４０向けの本明細書に記載の実施形態に従う方法は、ネットワークノード１１１、１１５およびワイヤレス通信デバイス１４０によって実施されるときに、命令、すなわち、少なくとも１つのプロセッサで実行されると、前記少なくとも１つのプロセッサに本明細書に記載のアクションを実行させるソフトウェアコード部分を含む、コンピュータプログラム製品を用いて実装されてもよい。コンピュータプログラム製品は、コンピュータ可読記憶媒体に記憶されてもよい。コンピュータプログラムがそこに記憶されたコンピュータ可読記憶媒体は、ネットワークノード１１１、１１５およびワイヤレス通信デバイス１４０によって実施されるときに、少なくとも１つのプロセッサで実行されると、前記少なくとも１つのプロセッサに、本明細書に記載のアクションを実行させる命令を含んでもよい。いくつかの実施形態では、コンピュータ可読記憶媒体は、非一時的コンピュータ可読記憶媒体であってもよい。
【０１３３】
ワイヤレス通信デバイス１４０およびネットワークノード１１１、１１５は、各々、１つまたは複数のメモリユニットを含むメモリ７９０、８９０をさらに含んでもよい。メモリ７９０、８９０は、ネットワークノード１１１、１１５およびワイヤレス通信デバイス１４０で実行されるときに、本明細書の方法を実施するために、例えば、複数の無線周波数帯域幅パートＢＷＰ１からＢＷＰ６までの間でワイヤレス通信デバイス１４０が優先順位付けを行えるようにするインジケーション、チャネルセンシングおよび／または伝送能力や受信能力の結果、チャネル占有率の測定値、ホッピングシーケンス、閾値など、取得した情報を記憶するために使用されるように調整される。
【０１３４】
さらに、上記の異なるモジュールは、アナログおよびデジタル回路、および／または、ネットワークノード１１１、１１５およびワイヤレス通信デバイス１４０のプロセッサなど、１つまたは複数のプロセッサによって実行されると前述したように機能する、例えば、メモリに記憶されたソフトウェアやファームウェアで構成された１つまたは複数のプロセッサの組み合わせを意味する場合があることを当業者であれば理解するであろう。１つまたは複数のこれらのプロセッサ、および他のデジタルハードウェアは、単一の特定用途向け集積回路（Application-Specific  Integrated  Circuitry：ＡＳＩＣ）に含まれてもよく、または、いくつかのプロセッサ、および種々のデジタルハードウェアは、個別にパッケージされるか、システムオンチップ（System-On-a-Chip  ：ＳｏＣ）に集積されて、いくつかの別個のコンポーネントに分散されてよい。
【０１３５】
用語「ｃｏｍｐｒｉｓｅ（含む）」または「ｃｏｍｐｒｉｓｉｎｇ（含んでいる）」を使用する場合、限定されずに解釈されるべきである（すなわち、「少なくとも含む」を意味する）。
【０１３６】
本明細書の実施形態は、上述の好ましい実施形態に限定されるものではない。種々の代替物、変更、および等価物が使用されてよい。したがって、上記の実施形態は、範囲を限定すると見なされるべきではない。
【０１３７】
特定の用語が、本明細書で使用される場合があるが、それらは、一般的および記述的な意味で使用されるものであり、限定するためのものではない。
【０１３８】
したがって、上記の実施形態は、範囲を限定すると見なされるべきではなく、添付の特許請求の範囲によって定義される。
【０１３９】
３ＧＰＰのＮＲによる用語が、本明細書の実施形態の例示のために本開示で使用されたが、上述のシステムのみに本明細書の実施形態の範囲を限定すると見なされるべきではないことに留意されたい。他のワイヤレスシステムも、本開示内で対象として含まれる着想を利用することで利益を得ることができる。
【０１４０】
さらに、第１無線周波数帯域および第２無線周波数帯域などの用語は、非限定的なものであると見なされるべきであり、かつその２つの間のある種の階層的な関係を特に暗示するものではないことに留意されたい。
【図１Ａ】
2021510979.tif 000003
【図１Ｂ】
2021510979.tif 000004
【図２】
2021510979.tif 000005
【図３】
2021510979.tif 000006
【図４】
2021510979.tif 000007
【図５Ａ】
2021510979.tif 000008
【図５Ｂ】
2021510979.tif 000009
【図５Ｃ】
2021510979.tif 000010
【図６】
2021510979.tif 000011
【図７】
2021510979.tif 000012
【図８】
2021510979.tif 000013
【手続補正書】
【提出日】令和2年9月15日(2020.9.15)
【手続補正１】
【補正対象書類名】特許請求の範囲
【補正対象項目名】全文
【補正方法】変更
【補正の内容】
【特許請求の範囲】
【請求項１】
ワイヤレス通信デバイス（１４０）によって実施される、アンライセンス無線周波数帯域（１５０）内の予め定められたシステム帯域幅（１６０）にアクセスするための方法であって、前記ワイヤレス通信デバイス（１４０）は、ネットワークノード（１１１、１１５）を含むワイヤレス通信ネットワーク（１０１）によって、前記ワイヤレス通信ネットワーク（１０１）が構成する複数の帯域幅パート（ＢＷＰ１からＢＷＰ６）を含む前記予め定められたシステム帯域幅内で動作するように構成されており、
前記ネットワークノード（１１１、１１５）から、前記複数の帯域幅パート（ＢＷＰ１からＢＷＰ６）の間で前記ワイヤレス通信デバイス（１４０）が優先順位付けを行えるようにするインジケーションを受信することと（２０１ａ、３０１）、
前記優先順位付けに従って、前記システム帯域幅（１６０）にアクセスすることと（２０４、３０４）を含む、方法。
【請求項２】
前記複数の帯域幅パート（ＢＷＰ１からＢＷＰ６）の間で前記ワイヤレス通信デバイス（１４０）が前記優先順位付けを行えるようにする前記インジケーションを受信すること（２０１ａ、３０１）に応じて、
前記複数の帯域幅パート（ＢＷＰ１からＢＷＰ６）の間で優先順位付けをすることと（２０３、３０３）をさらに含む、請求項１に記載の方法。
【請求項３】
前記アンライセンス無線周波数帯域（１５０）にアクセスすること（２０４、３０４）は、前記システム帯域幅よりも狭い帯域幅内、または、１つまたは複数の帯域幅パート（ＢＷＰ１からＢＷＰ６）内、または、単一の帯域幅パート（ＢＷＰ１からＢＷＰ６）内で、前記アンライセンス周波数にアクセスすることを含む、請求項１または２に記載の方法。
【請求項４】
前記アンライセンス無線周波数帯域（１５０）にアクセスすること（２０４、３０４）は、前記複数の帯域幅パート（ＢＷＰ１からＢＷＰ６）のうち少なくとも１つで、チャネルセンシングを実施すること、および／またはデータ伝送やデータ受信をすることを含む、請求項１または２に記載の方法。
【請求項５】
前記複数の帯域幅パート（ＢＷＰ１からＢＷＰ６）の間で優先順位付けをすること（２０２、３０２）は、
−前記複数の帯域幅パート（ＢＷＰ１からＢＷＰ６）の間の、チャネルセンシング、および／または伝送性能や受信性能の結果、
−前記複数の帯域幅パート（ＢＷＰ１からＢＷＰ６）の間のチャネル占有率の測定値、および
−前記複数の帯域幅パート（ＢＷＰ１からＢＷＰ６）の間のホッピングシーケンス、のうち任意の１つまたは複数に基づく、請求項２〜４に記載の方法。
【請求項６】
前記複数の帯域幅パート（ＢＷＰ１からＢＷＰ６）の間で優先順位付けをすること（２０２、３０２）は、前記チャネルセンシングおよび／または伝送性能および／または受信性能の結果が合格率閾値の、または合格率閾値を超える合格率を有する周波数帯域、および／または、前記チャネル占有率がチャネル占有率閾値を下回る周波数帯域を優先させることを含む、請求項２〜５のいずれか１項に記載の方法。
【請求項７】
前記複数の帯域幅パート（ＢＷＰ１からＢＷＰ６）の間で優先順位付けをすること（２０２、３０２）は、第２帯域幅パートよりも第１帯域幅パートを優先させることを含み、前記第１帯域幅パートのチャネル占有率の第１測定値は、前記第２帯域幅パートのチャネル占有率の第２測定値よりも低い、請求項２〜６のいずれか１項に記載の方法。
【請求項８】
前記複数の帯域幅パート（ＢＷＰ１からＢＷＰ６）の間で優先順位付けをすること（２０２、３０２）は、前記第２帯域幅パートよりも前記第１帯域幅パートを優先させることを含み、前記第１帯域幅パートのチャネルセンシングおよび／または伝送性能や受信性能の第１合格率は、前記第２帯域幅パートのチャネルセンシングおよび／または伝送性能や受信性能の第２合格率よりも高い、請求項２〜７のいずれか１項に記載の方法。
【請求項９】
前記ワイヤレス通信デバイス（１４０）が前記優先順位付けを行えるようにする前記受信されたインジケーションは、２回以上の逐次的アクセスに対して有効である、請求項１〜８のいずれか１項に記載の方法。
【請求項１０】
前記ワイヤレス通信デバイス（１４０）から伝送するデータの量が、予め定められたデータの閾値量を下回るか否かを判定すること（２０２、３０２）と、前記ワイヤレス通信デバイス（１４０）が前記優先順位付けを行えるようにする前記インジケーションを受信すること（２０１ａ、３０１）に応じて、また前記ワイヤレス通信デバイス（１４０）から伝送する前記データの量が、予め定められたデータの閾値量を下回ると判定すること（２０２．３０２）に応じて、
前記複数の帯域幅パート（ＢＷＰ１からＢＷＰ６）の間で優先順位付けをすることと（２０３、３０３）、をさらに含む、請求項１〜９のいずれか１項に記載の方法。
【請求項１１】
ワイヤレス通信ネットワーク（１０１）によって使用されるアンライセンス無線周波数帯域（１５０）で動作するように構成されたワイヤレス通信デバイス（１４０）であって、
前記ワイヤレス通信ネットワーク（１０１）に含まれるネットワークノード（１１１、１１５）から、前記アンライセンス無線周波数帯域（１５０）に含まれている複数の帯域幅パート（ＢＷＰ１からＢＷＰ６）の間で前記ワイヤレス通信デバイス（１４０）が優先順位付けを行えるようにするインジケーションを受信し、
前記優先順位付けに従って、前記アンライセンス無線周波数帯域（１５０）にアクセスする、ように構成されることで、
前記アンライセンス無線周波数帯域（１５０）にアクセスするようにさらに構成される、ワイヤレス通信デバイス。
【請求項１２】
ワイヤレス通信ネットワーク（１０１）によって使用されるアンライセンス無線周波数帯域（１５０）で動作するように構成されたネットワークノード（１１１、１１５）によって実施される、前記アンライセンス無線周波数帯域（１５０）へのアクセスを制御するための方法であって、
前記ワイヤレス通信ネットワーク（１０１）で動作するように構成されたワイヤレス通信デバイス（１４０）に、前記アンライセンス無線周波数帯域（１５０）に含まれている複数の帯域幅パート（ＢＷＰ１からＢＷＰ６）の間で前記ワイヤレス通信デバイス（１４０）が優先順位付けを行えるようにするインジケーションを伝送すること（２０１ａ、６０１）を含む、方法。
【請求項１３】
前記アンライセンス無線周波数帯域（１５０）へのアクセスを制御することは、前記ワイヤレス通信デバイス（１４０）に、第２インジケーションを伝送すること（２０１ｂ、６０２）をさらに含み、前記第２インジケーションは、前記複数の帯域幅パート（ＢＷＰ１からＢＷＰ６）の間の前記優先順位付けが、
−前記複数の帯域幅パート（ＢＷＰ１からＢＷＰ６）の間の、チャネルセンシング、および／または伝送性能や受信性能の結果、
−前記複数の帯域幅パート（ＢＷＰ１からＢＷＰ６）の間のチャネル占有率の測定値、および
−前記複数の帯域幅パート（ＢＷＰ１からＢＷＰ６）の間のホッピングシーケンス、のうち任意の１つまたは複数に基づくものであることを示す、請求項１２に記載の方法。
【請求項１４】
ワイヤレス通信ネットワーク（１０１）によって使用されるアンライセンス無線周波数帯域（１５０）で動作するように構成されたネットワークノード（１１１、１１５）であって、
前記ワイヤレス通信ネットワーク（１０１）で動作するように構成されたワイヤレス通信デバイス（１４０）に、前記アンライセンス無線周波数帯域（１５０）に含まれている複数の帯域幅パート（ＢＷＰ１からＢＷＰ６）の間で前記ワイヤレス通信デバイス（１４０）が優先順位付けを行えるようにするインジケーションを伝送する、ように構成されることで、前記アンライセンス無線周波数帯域（１５０）へのアクセスを制御するようにさらに構成される、ネットワークノード（１１１、１１５）。
【請求項１５】
前記ネットワークノード（１１１、１１５）は、第２インジケーションを前記ワイヤレス通信デバイス（１４０）に伝送するように構成されることによって、前記アンライセンス無線周波数帯域（１５０）の使用量を制御するようにさらに構成され、前記第２インジケーションは、前記複数の帯域幅パート（ＢＷＰ１からＢＷＰ６）の間の前記優先順位付けが、
−前記複数の帯域幅パート（ＢＷＰ１からＢＷＰ６）の間の、チャネルセンシング、および／または伝送性能や受信性能の結果、
−前記複数の帯域幅パート（ＢＷＰ１からＢＷＰ６）の間のチャネル占有率の測定値、および
−前記複数の帯域幅パート（ＢＷＰ１からＢＷＰ６）の間のホッピングシーケンス、のうち任意の１つまたは複数に基づくものであることを示す、請求項１４に記載のネットワークノード（１１１、１１５）。
【国際調査報告】
2021510979.tif 000014
2021510979.tif 000015
2021510979.tif 000016